【手続補正書】
【提出日】平成27年6月30日(2015.6.30)
【手続補正１】
【補正対象書類名】明細書
【補正対象項目名】０００６
【補正方法】変更
【補正の内容】
【０００６】
上記目的を達成するため、本発明の一態様のファイル処理装置は、
データからなるファイルと当該ファイルの第１のファイル名を生成するファイル生成手段と、
前記ファイル生成手段により生成されたファイルを転送する所定の転送先に対応する前記第１のファイル名とは異なる第２のファイル名を特定するファイル名特定手段と、
前記ファイル名特定手段により特定された第２のファイル名を付加情報として当該ファイルに付加して保存する保存手段と、
を備えることを特徴とする。
【手続補正２】
【補正対象書類名】明細書
【補正対象項目名】００８６
【補正方法】変更
【補正の内容】
【００８６】
以上のように構成される撮像装置１は、撮像画像生成部８１と、ファイル名生成部８２と、画像ファイル生成部８３と、を備える。
撮像画像生成部８１は、撮像画像のデータと当該ファイルの通常のファイル名を生成する。
ファイル名生成部８２は、撮像画像生成部８１により生成されたファイルを転送する所定の転送先に対応する転送先ファイル名を生成（特定）する。
画像ファイル生成部８３は、転送先とファイル名生成部８２により生成（特定）された転送先ファイル名を対応付けて付加情報として当該ファイルに付加して、画像ファイル記憶部６２に記憶させる。
このため、撮像装置１は、転送先とファイル名生成部８２により生成（特定）された転送先ファイル名を対応付けて付加情報として当該ファイルに付加して、画像ファイル記憶部６２に記憶させる。
従って、撮像装置１は、ファイル名が転送先ファイル名に変更されてファイル生成時のファイル名と異なるファイル名になった場合であっても、ファイルが転送先のファイル名を保持しているために、保持している転送先ファイル名を確認すれば、ファイルの同一性を判別することができる。
【手続補正３】
【補正対象書類名】明細書
【補正対象項目名】００８８
【補正方法】変更
【補正の内容】
【００８８】
また、撮像装置１において、ファイル名生成部８２は、撮像画像生成部８１によりファイルが生成された際に、転送先に対応するファイル名を生成（特定）する。また、画像ファイル生成部８３は、転送先と撮像画像生成部８１により生成されたファイル名を付加情報として当該ファイルに付加して保存する。
従って、撮像装置１においては、画像ファイルの生成時に転送ファイル名に関する付加情報も付加してファイルの保存を行うので、後からファイルのサイズが変更してしまうことがない。即ち、転送先ファイル名をファイル生成後に事後的に付加した場合には、当初のファイルのサイズと異なることになるが、撮像装置１においては、当初のファイルからのサイズの変更がないために、計画的なファイル管理を行うことができる等のメリットが生じる。
【手続補正４】
【補正対象書類名】明細書
【補正対象項目名】００８９
【補正方法】変更
【補正の内容】
【００８９】
また、撮像装置１は、転送先を設定する転送先設定部５１を更に備える。
また、ファイル名生成部８２は、転送先設定部５１により設定された転送先に対応するファイル名を生成（特定）する。
従って、撮像装置１においては、転送先を任意に設定しておくことができる。
【手続補正５】
【補正対象書類名】特許請求の範囲
【補正対象項目名】全文
【補正方法】変更
【補正の内容】
【特許請求の範囲】
【請求項１】
データからなるファイルと当該ファイルの第１のファイル名を生成するファイル生成手段と、
前記ファイル生成手段により生成されたファイルを転送する所定の転送先に対応する前記第１のファイル名とは異なる第２のファイル名を特定するファイル名特定手段と、
前記ファイル名特定手段により特定された第２のファイル名を付加情報として当該ファイルに付加して保存する保存手段と、
を備えることを特徴とするファイル処理装置。
【請求項２】
前記付加情報として保存されている前記転送先に前記ファイルを転送する転送手段と、
前記転送手段により前記転送先に前記ファイルを転送する際に、転送するファイルの第１のファイル名を前記付加情報として保存されている前記転送先に対応する第２のファイル名に変更するファイル名変更手段と、
を更に備えることを特徴とする請求項１に記載のファイル処理装置。
【請求項３】
前記ファイル生成手段によりファイルが生成された際に、前記ファイル名特定手段は、前記転送先に対応する第２のファイル名を特定し、前記保存手段は、前記ファイル名特定手段により特定された第２のファイル名を前記付加情報として当該ファイルに付加して保存することを特徴とする請求項１又は２に記載のファイル処理装置。
【請求項４】
前記ファイル生成手段によりファイルが生成された後に、前記ファイル名特定手段は、前記転送先に対応する第２のファイル名を特定し、前記保存手段は、前記ファイル名特定手段により特定された第２のファイル名を前記付加情報として当該ファイルに付加して保存することを特徴とする請求項１又は２に記載のファイル処理装置。
【請求項５】
前記転送手段により前記転送先に前記ファイルを転送する際に、前記ファイル名特定手段は、前記転送先に対応する第２のファイル名を特定し、前記保存手段は、前記ファイル名特定手段により特定された第２のファイル名を前記付加情報として当該ファイルに付加して保存することを特徴とする請求項２に記載のファイル処理装置。
【請求項６】
前記保存手段は、転送先からファイル名の変更の通知があった場合には、前記付加情報に当該変更があったファイル名を第２のファイル名として追加することを特徴とする請求項２乃至５のいずれか１項に記載のファイル処理装置。
【請求項７】
前記転送先を設定する設定手段を更に備え、
前記ファイル名特定手段は、前記設定手段により設定された転送先に対応する第２のファイル名を特定することを特徴とする請求項１乃至６のいずれか１項に記載のファイル処理装置。
【請求項８】
前記ファイル名特定手段は、前回に特定した第２のファイル名と重複しないように第２のファイル名を特定することを特徴とする請求項１乃至７のいずれか１項に記載のファイル処理装置。
【請求項９】
前記転送先からファイル或いは該ファイルのファイル名を取得する取得手段と、
前記取得手段により取得されたファイルのファイル名或いはファイル名が、当該ファイル処理装置に保存されているいずれかのファイルの付加情報に含まれているか否かを判別する判別手段と、
前記判別手段による判別結果を報知する報知手段と、
を更に備えることを特徴とする請求項１乃至８のいずれか１項に記載のファイル処理装置。
【請求項１０】
前記所定の転送先は複数であって、
前記ファイル名特定手段は、複数の所定の転送先各々に対応する前記第１のファイル名とは異なる第２のファイル名を特定し、
前記保存手段は、前記ファイル名特定手段により特定された複数の第２のファイル名を付加情報として当該ファイルに付加して保存することを特徴とする請求項１乃至９のいずれか１項に記載のファイル処理装置。
【請求項１１】
前記保存手段は、前記第２のファイル名に前記転送先を更に対応付けて付加情報として前記ファイルに付加して保存することを特徴とする請求項１乃至１０のいずれか１項に記載のファイル処理装置。
【請求項１２】
前記ファイルは画像であり、前記付加情報はＥｘｉｆ（Ｅｘｃｈａｎｇｅａｂｌｅ  ｉｍａｇｅ  ｆｉｌｅ  ｆｏｒｍａｔ）情報であることを特徴とする請求項１乃至１１のいずれか１項に記載のファイル処理装置。
【請求項１３】
データからなるファイルと当該ファイルの第１のファイル名を生成するファイル生成処理と、
前記ファイル生成処理により生成されたファイルを転送する所定の転送先に対応する前記第１のファイル名とは異なる第２のファイル名を特定するファイル名特定処理と、
前記ファイル名特定処理により特定された第２のファイル名を付加情報として当該ファイルに付加して保存する保存処理と、
を含むことを特徴とするファイル処理方法。
【請求項１４】
ファイル処理装置を制御するコンピュータに、
データからなるファイルと当該ファイルの第１のファイル名を生成するファイル生成機能、
前記ファイル生成機能により生成されたファイルを転送する所定の転送先に対応する前記第１のファイル名とは異なる第２のファイル名を特定するファイル名特定機能、
前記ファイル名特定機能により特定されたファイル名を付加情報として当該ファイルに付加して保存する保存機能、
を実現させるためのプログラム。